(57)【特許請求の範囲】
【請求項１】
平均台ビームの補助装置に於いて、ビームを被冠する被冠部と左右対象に巾広の補助板を設け補強リブを熔着してビームを被冠すると共に、緩衝材を裏面に貼着した締付金具及び締付レバーを取付け、前記被冠部及び巾広の補助板を着脱自在とした平均台ビームの補助装置。
【請求項２】
ビームに被冠した仮装ビーム部と、左右対象に設けた巾広の補助板から成り、この補助板と長さが同一か稍長めで同厚の補助板を別部材として形成し夫々螺孔を設け補助板と別部材の補助板を締結ネジで着脱自在に取付け、前記被冠部と補助板との高さがフラットになるよう形成した平均台ビームの補助装置。
【発明の詳細な説明】
【０００１】
【発明の属する技術分野】
本発明はビーム上で行なう前方、後方宙返りの練習用補助装置に係り、特に競技時の高さにセットしたビーム上面巾を拡幅し使用者が足を踏み外し落下することを防止し安全に練習が行なえる平均台ビームの補助装置に関する。
【０００２】
【従来の技術】
従来の平均台ビームの補助具に於いては、例えば図５（ａ、ｂ）として図示した如く箱形状の補助台２１をビーム１の左右両側部に設置するか、若しくはビーム１上に着地マット２２を被覆させて使用していたものが知られている。
【０００３】
【発明が解決しようとする課題】
然して、前者に於いては、床面上に箱形状の補助具をビームの左右両側部から挟持し使用するものであるため補助具上への着地練習を行なえない問題点を有していた。
【０００４】
又、後者に於いて、ビーム上に着地マット被覆して使用するものであり、マットの厚ざ分だけ前記ビーム上面とに段差が生じ使用者が宙返りに必要な蹴りと空中姿勢等微妙な感覚が競技時と異なり競技に向けての練習には不適であった。
【０００５】
本発明は、従来技術の有する上述問題点に鑑みて為されたものであり、巾広の補助板を被冠部と略同一高さに装着し、競技時と同じ感覚で前方、後方宙返り等の練習が行なえる他、失敗時には足の踏み外しによる落下を防止する平均台ビーム補助装置の提供を目的としている。
【０００６】
【課題を解決するための手段】
上記目的を達成する為に、本発明の平均台ビーム補助装置に於いては、裏面に緩衝材を貼着したこの補助板と前記被冠部に補強リブを熔着すると共に、前記被冠部及び補助板下部に基端を前記補強リブに設けたヒンジに枢着し、裏面に緩衝材を貼着した締結金具及び締付けレバーを取付け、前記被冠部と補助板を着脱自在としたものである。
【０００７】
上記目的を達成する為に本発明に於いては、ビームに被冠した前記被冠部と巾広の補助板を形成して成り、この補助板と長さが同一か稍長めで同厚の補助板を別部材として形成し夫々に螺孔を設け、前記補助板と別部材の補助板とを締結ネジで着脱自在に取付け、前記拡幅台被冠部と巾広の補助板との高さがフラットに為るよう形成したものである。
【０００８】
【発明の実施の形態】
発明の実施の形態を実施例に基づき図面を参照して説明する。
《実施例１》図１乃至図２及び図４に示される本発明の第１実施例に於いて、平均台ビーム１は従来例同様に両端部を脚２３及び支持杆２４により保持されて成る。３は被冠部であり前記ビーム１上部を被冠するもので緩衝材７を裏面に貼着して成り、補助板２は前記被冠部３を嵌合する上面の被冠部８と左右対象に延設した補助板４とが連接した構造であり、この補助板４下部と前記被冠部３に補強リブ９を夫々熔着し前記ビーム１上での練習時の揺動に十分耐えるよう保持形成され、又、前記巾広の補助板２は板状部４上面に弾性材５ａを貼着後、被覆材６により被覆されて成るものである。
【０００９】
巾広の補助板４と前記被冠部３に熔着した補強リブ９に軸止したヒンジ１０に緩衝材７を裏面に貼着した締着金具１１、１１ａの基端を夫々枢着し、締着金具１１の他端は受け杆１５を介し締着環１３を有する締着レバー１４を枢支し前記ビーム１下部に取付け、前記締着金具１１ａ先端にはフック１２を設けてなる。前記ビーム１に被冠部３を被冠し然る後、補助板２を嵌合するのであねが、これらをビーム１に嵌着、嵌脱する作動は前記締着レバー１４及び締着金具１１、１１ａの開閉により行なわれる。即ち、図２に於いて、ビーム１は実線で示す如く、基端を補強リブ９に軸止されたヒンジ１０に基端を枢着した左右の締着金具１１、１１ａ及び締着レバー１４とは締着環１３に前記フック１２を係着することで確実に装着されビーム１上での練習が行なわれる。
【００１０】
競技用としてビーム１を使用する際は、上述の作動とは逆に前記フック１２を締着環１３から係脱することで図２に２点鎖線で示す締着レバー１４及び締着金具１１、１１ａが開放され補助板２、被冠部３がビーム１から撤去され競技用のビーム１と成る。尚、前記板状部４下部の前記補強リブ９間に形成したピン受け金具１７には摺動ピン１６を内挟し、この摺動ピン１６の摺動により補助板２をビーム１上面で繋接する際、前、後の補助板２間に段差を生じさせないよう保持する構成としたものである。
【００１１】
《実施例２》ビーム１に被冠部３を被冠し補助板２を嵌合装着する構成は上述例と同様であるが、図３に示す他の実施例に於いて、前記巾広の補助板２に補助板と同厚で同一長か同厚で稍長めの補助板部１８、１８ａを別部材として形成し前記板状部４に透孔２５を前記補助板部１８、１８ａには埋込ナット２０を埋込むか又は螺孔２６、２６ａを設け締結ネジ１９を介し板状部４と補助板部１８、１８ａを重合締着し、前記巾広の補助板２の被冠部８上面と補助板部１８、１８ａの重合高さとがフラットとなるようにし練度の低い競技者向け補助装置を構成したものである。
【００１２】
【発明の効果】
本発明は、上述の如く構成されているので、次に記載するような効果を奏する。
【００１３】
ビームへの着脱操作が容易で且つ堅固に出来、巾広の補助板を複数個連接時その接合部に段差が生じず競技時と同じ感覚で前方、後方宙返りの練習が安全に行なえると共に、練習内容及び使用者の練度により補助板の巾調節も自由で弾力的に使用出来る。
【図面の簡単な説明】
【図１】本発明の１実施例を示す一部省略全体構造斜視図である。
【図２】同例の要部拡大断面正面図である。
【図３】他の実施例を示す要部拡大断面正面図である。
【図４】本発明の各例を示す要部拡大一部断面説明図である。
【図５】従来例を示す箱形状補助具使用時（ａ）、着地マット使用時（ｂ）の全体構造斜視図である。
【符号の説明】
１、１’      ビーム
２            補助板
３            被冠部
５            弾性材
６            被覆材
７            緩衝材
８            被冠部
９            リブ
１０          ヒンジ
１１、１１ａ  締着金具
１２          フック
１３          締着環
１４          締着レバー
１８、１８ａ  補助板部
１９          締結ネジ
２０、２０ａ  埋込ナット
２１          補助台
２２          着地マット
２３、２３’  脚
２４、２４’  支持杆
２５          透孔
２６、２６ａ  螺孔
【図１】
0004078661.tif 000002
【図２】
0004078661.tif 000003
【図３】
0004078661.tif 000004
【図４】
0004078661.tif 000005
【図５】
0004078661.tif 000006